(57)【要約】【課題】高湿度状態等においても約１２時間燃焼を持続する渦巻状線香の特性を充分に考慮しながら、特に安全性という観点から、渦巻状線香が燃え減って消えてしまう以前は、極限に軽い状態でも燃焼を継続しているといういうことであるために、限られた重量を有している時点で渦巻状線香の燃焼を停止せしめると共に、従来から利用されている形式あるいは新しい形式渦巻状線香に対しても対応できる渦巻状線香立。【解決の手段】燃焼中の渦巻状線香の中心部を、安定した状態で限られた重量を有している時点で燃え残すための熱吸収支え部を有し、該熱吸収支え部上に渦巻状線香の下面中心部を合わせ置くことによって、渦巻状線香自体の自重によって釣鐘状又は円錐状に形成される下面側中間部また下面側外周面部または燃焼部又は燃焼部周辺部を、該渦巻状線香の燃焼中の燃焼熱によって、あるいは空気中の湿気を帯びて異常な垂れ下がり等を防止する垂下防止断熱部を設けたことを特長とする。【選択図】図２
2005000618.tif 000002
【特許請求の範囲】
【請求項１】
熱吸収性の少ない釣鐘状の断熱板を左右対称形となるように打ち抜き造形した一対の組立て要素を得、一方の組立要素には、中心部に上部から切欠きが形成され、他方の組立要素には中心部に下方から切欠きが形成されているために、組立要素を直交させて前記切欠き同士を嵌合せしめて平面十字形の形に立体的に組立てた垂下防止断熱部と、下面部に該平面十字形の形に立体的に組立てた垂下防止断熱部の上部中心部に嵌合せしめ得る溝部設け、上面部に直径１０〜１０数ｍｍの平面円板部を突出せしめて円形状の段差部を形成せしめ得る熱吸収支え部を設けたことを特長とする渦巻状線香立。
【請求項２】
金属板を、中心部に芯穴を有し両端部に、ほぼ木の葉又は花びら状をなす左右上下が対称形となる様に打ち抜き造形せしめると共に、断熱効果および美観を得るために、左右をく字状に折曲せしめた該折曲部周辺部と、切抜き部によって形成される挟持片間に花びら形の断熱板を挟持せしめ得るようにした２枚一組の組立要素を得、それをプラス字状に組み合わせた垂下防止断熱部と、上面部に直径１０〜１０数ｍｍの平面円板部を突出せしめて円形状の段差部を形成せしめ得る熱吸収支え部を設けたことを特長とする渦巻状線香立。
【発明の詳細な説明】
【０００１】
【発明の属する技術分野】
本発明は渦巻状線香を立てる線香立に関する。
【０００２】
【従来の技術】
宗教上の理由等により、葬儀から４９日間は昼夜を問わず線香の煙を絶やしてはいけないとされ、昔から約１２時間位燃焼を持続する細長い線香を渦巻状に形成した渦巻状線香が使用されている。普通該渦巻状線香は中心部に吊り紐があり、香炉の上で該吊り紐を介して吊り具に吊るした状態で使用するのが一般的であるが、近頃は該吊り紐の無い渦巻状線香下面部の中心部を香炉上に合わせ置くことによって、該渦巻状線香自体の自重により垂れ下がってその外周部が釣鐘状または円錐状を呈した渦巻状線香下面部側に、該渦巻状線香の燃焼部またはその周辺部に垂れ下がり防止部を設ける等、最後まで燃焼が持続することを目的とした渦巻状線香立が各種使用されているが、実は、燃焼し続けながら長時間使用するということは監視の目が行き届かないという事であり、最後まで燃焼を持続するという事は、吊り紐を介して吊り具に吊るした状態で使用する場合は、渦巻状線香が燃え減って無くなってしまう以前に吊り紐が先に燃えてしまって、非常に小粒で軽くなってしまっている渦巻状線香に火のついたまま燃え残りの一部が落下するという事であり、強い風が吹いている時等は非常に危険である。更には４９日間連続して使用する間に１度でも落下中あるいは落下直後に窓越しの強風、あるいは扇風機等の強風等も想定される等、安心して利用出来る商品を提供するという点に欠点があった。また実願平０２−１３０６３７（実開平０４−８６４７９）、特願昭５３−７３６１８、特願昭５３−１０５７３４等に見られる、渦巻状線香の下面中心部を渦巻状線香立上に合わせ置く形式の場合も、渦巻状線香の燃焼を出来うる限り持続せしめ得る構造という面にのみ配慮され、上記の様に渦巻状線香が燃え減って無くなってしまう以前は、渦巻状線香に火のついたままで極限に軽い状態にまで燃え減ってしまっているという事であり、この様な状態にある時の窓越しの強風あるいは扇風機等の強風等に対する安全性、さらには火を絶やさずに葬儀から昼夜を問わずに４９日間もの長い間使用する商品としての配慮に欠け、渦巻状線香立が発明されてから何十年もの長きに渡って客からの苦情を無視し、約３０分ごとに（１本線香の寿命）火をつけ続けるより楽なんだから等と、危険を客側に押し付けてきた様なもので、安全性および安心感といった面で重大な欠点があった。
【０００３】
【発明が解決しようとする課題】
本発明は、上記実情を鑑み創案されたものであって、高湿度状態等においても渦巻状線香の特性を充分に考慮しながら、渦巻状線香の中心部を少なくとも直径で約１０ｍｍ〜１０数ｍｍ程度燃え残すことによって、渦巻状線香の燃え残り部からの火災の安全性をより高め得ると共に，安心して利用出来る渦巻状線香立を提供することを目的とする。
【０００４】
【課題を解決するための手段と作用】
本発明の渦巻状線香立は、安全性及び安心感等を得るための危険防止を目的で、燃焼中の渦巻状線香の中心部をほぼ直径で約１０ｍｍ〜１０数ｍｍ程度燃え残すための熱吸収支え部を有し、該熱吸収支え部上に渦巻状線香の下面中心部を合わせ置くことによって、渦巻状線香自体の自重によって釣鐘状又は円錐状に形成される下面側中間部または下面側外周面部または燃焼部又は燃焼部周辺部を、該渦巻状線香の燃焼中の燃焼熱によって、あるいは空気中の湿気を帯びて異状な垂れ下がり等を防止する垂下防止断熱部を設けたことを特長とする。
【０００５】
【発明の実施例１】
以下本発明の実施例を図面に基づいて説明する。図１は、本発明の実施例１に係る渦巻状線香立を示し、本実施例１では図２に示す様な、熱吸収性の少ない釣鐘状の断熱板を左右対称形となるように打ち抜き造形した一対の組立て要素２ａ、２ｂを得、一方の組立要素２ａには、中心部に上部から切欠き３ａが形成され、他方の組立要素２ｂには中心部に下方から切欠き３ｂが形成されているために、組立要素２ａ、２ｂを直交させて前記切欠き３ａ、３ｂ同士を嵌合せしめて平面十字形の形に立体的に組立てた垂下防止断熱部２と、下面部に該平面十字形の形に立体的に組立てた垂下防止断熱部２の上部中心部に嵌合せしめ得る溝部１ｃ、１ｃ…を設け、上面部に直径１０〜１０数ｍｍの平面円板部１ａを突出せしめて円形状の段差部１ｂを形成せしめ得る熱吸収支え部１を設けたことを特長とする。
【０００６】
以上の様に形成された本発明の実施例１の渦巻状線香立４を使用するには、上記の様に組立てた状態で香炉等の灰受け３の上に設置し、中央上端部の熱吸収支え部１上に渦巻状線香５の下面中心部を合わせ置くことによって、安定して渦巻状線香５を支持することが出来、中心部だけを支持することによって図１に示す様に、渦巻状線香５は自重により垂れ下がって釣鐘状又は円錐状を呈する。それにより、渦巻状線香５は下方から上方に向かってスパイラル状に適度の間隙が出来、互いに接することがなく、下端から上方に向かって燃え減って行く。
【０００７】
上記の使用状態において、高湿度等で渦巻状線香５が通常状態よりも垂れ下がってくると渦巻状線香５の下面部又は燃焼部６が、平面十字形の形に立体的に組立てた垂下防止断熱部２上に接触するために、垂れ下がりの進行が阻止されると共に燃焼部６の火が消えてしまうことが無い。
【０００８】
熱吸収支え部１上に設けた直径１０〜１０数ｍｍの平面円板部１ａを突出せしめたのは、使用中の渦巻状線香５は釣鐘状又は円錐状に形成されているが、直径が４０ｍｍ以下程度まで燃え減ってくると、図３に示した様に、自重の影響が小さくなって元の円板状に戻ってくると共に、支え面に対する重心位置の影響が現れ始める。更に直径が２０ｍｍ以下に燃え減ってくると、図４に示した様に渦巻状線香５は正円状で無くなってくるために、支え面が小さいと、渦巻状線香５の重心位置の変化に伴って、小さくなった渦巻状線香５全体が、時計の針が回る様に傾いたまま回り動くので、落下防止等の視点から該渦巻状線香５の重心位置の変化に対する影響を大きく受けないために、少なくとも渦巻状線香５の中心部を直径１０〜１０数ｍｍ位燃え残すためであり、更に重要な事は、火のついたまま燃え残りの一部が落下することの無い様、あるいは渦巻状線香５が燃え減って無くなってしまう以前に、強い風に吹き飛ばされない様に直径１０〜１０数ｍｍ燃え残して置く危険防止の目的の為である。又約１２時間も燃焼を持続する渦巻状線香５を、４９日間連続して使用する間に１度でも落下中あるいは落下直後に窓越しの強風、あるいは扇風機等の強風、あるいは該窓越しの強風と扇風機等の強風との合成したより強い風等に吹き飛ばされないかと想走される等、安心して利用出来る商品を提供するという点に欠点があった。
【０００９】
熱吸収支え部１上の平面円板部１ａによって形成される円形状の段差部１ｂは、図５に示した様に、渦巻状線香５の中心部に吊り紐７が無く、中心部の空間部８を該平面円板部１ａに嵌合せしめて使用するもので、該段差部１ｂと接触する部分を燃え残す事でより高い安全性を目的とするもので、上記吊り紐形式と同様な効果を所期するものである。この形式による渦巻状線香５の燃え残し部の形状はリング状で、段差部１ｂに嵌め合わせた形で燃え残るので、強風等に吹き飛ばされにくい構造を有している。
【００１０】
【発明の実施例２】
以上は本発明の一実施例であるが、本発明は各種変形利用出来るものである。図６は本発明実施例２を示したもので、実施例１に使用した組立て要素２ａ、２ｂを直交せしめて平面十字形の形に立体的に組立てた垂下防止断熱部２が比較的に強度を要する場合で、使用中は図１または図３に示した、該平面十字形の形に立体的に組立てた垂下防止断熱部２の中心部上面部と渦巻状線香５の下面部とで形成される空間部９には、渦巻状線香５の燃焼部６の燃焼を阻止する接触部がないために、該平面十字形の形に立体的に組立てた垂下防止断熱部２の補強および価格の低廉化を計りうる、薄い金属板プレス加工品１０ａ、１０ｂを設けた形式である。この形式の場合は上端部が金属板を面しているために、渦巻状線香５を、熱吸収支え部１を用いない場合でも中心部の渦巻状線香５を燃え残し得る形状を有しているので、この形式による各種変形利用も可能である。
【００１１】
【発明の実施例３】
図７は本発明の実施例１に使用した組立て要素２ａ、２ｂを直交せしめて平面十字形の形に立体的に組立てた垂下防止断熱部２が比較的に強度を有する場合で、該平面十字形の形に立体的に組立てた垂下防止断熱部２の中心上面部に凹部１１、１１を設けたもので、該凹部１１、１１内に花形の熱吸収支え部１２の底面部を嵌合せしめても所期する効果を奏し得ることを示したもので、垂下防止断熱部および熱吸収支え部を各種任意に変形利用出来ることを示した他の実施例である。
【００１２】
【発明の実施例４】
図８は本発明の他の実施例４を示したもので、金属板を、中心部に芯穴１５ｃを有し両端部にほぼ木の葉又は花びら状をなす左右上下が対称形となる様に打ち抜き造形せしめると共に、断熱効果および美観を得るために、点線にて示した折曲線部１５ｅをく字状に折曲せしめた該折曲線部１５ｅ周辺部と、切抜き穴１５ｄによって形成される挟持片１５ｂ間に花びら形の断熱板１６ａを挟持せしめ得るようにした２枚一組の組立要素１５ａ、１５ａを得、それをプラス字状にスポット溶接又は爪付固定板１４を用いて組み合わせた垂下防止断熱部１５と、下面部に芯棒１３を有し上面部に直径１０〜１０数ｍｍの平面円板部１２ａを突出せしめて円形状の段差部１２ｂを形成せしめ得る熱吸収支え部１２を設けたことを特長とする渦巻状線香立１６に係るものである。
以上の様に構成された発明の実施例４の渦巻状線香立部１６を使用するには、上記熱吸収支え部１２の下面部に設けた芯棒１３の下方部を、香炉等の灰受け３の中心部上面に、ネジ部１９を介して固定せしめた長ナット１７に固定する。これに渦巻状線香５を使用する時は、中央上端部の熱吸収支え部１２上に、吊り紐形式の時は渦巻状線香の中心部を合わせ置くだけ、吊り紐の無い形式の時は渦巻状線香の中心部を合わせ置くか、中心部が空間部形式の時は該空間部８を段差部１２ｂ上に嵌め合わせるだけで安定して渦巻状線香中心部を支持することが出来る。渦巻状線香が通常の垂れ下がりの時は渦巻状線香自体の自重によって釣鐘状又は円錐状を呈して問題は起こらないが、空気中の湿気あるいは渦巻状線香の燃焼状態等による異常な垂れ下がりがあった時は、上記花びら形の断熱板部１６ａ、１６ａ、１６ａ、１６ａが渦巻状線香の燃焼部６又はその周辺等を花形のままで受け止めて該渦巻状線香の燃焼を妨げることは無い。
図８（ａ）の２点鎖線にて示した花びら型の断熱板部１６ａ、１６ａ、１６ａ、１６ａは、極度に空気中の湿気が高い時又は各種渦巻状線香の特性あるいは美観という観点等に合わせて、上記金属板を木の葉又は花びら状に打ち抜かれた中心部を、上下左右斜め方向へと自由に折り曲げ調節し得る等便利に利用できると共に、特に安全性の面で図４および図５ｂにて示した様に、吊り紐形式あるいは中心部に空間部８のある形式等の渦巻状線香に限らず、渦巻状線香の燃焼を中心部の直径１０〜１０数ｍｍで停止せしめ得る熱吸収支え部１２を設けたことを特長とする。また図８（ｄ）は、花びら形の断熱板１６ａの変形例で、断熱効果あるいは美観等を任意に変形利用してその有用性をより増大せしめ得ることを示したものである。
【００１３】
【発明の実施例５】
図９は図８に示した垂下防止断熱部１５の変形例を示したもので図９（ａ）および図９（ｂ）は、金属板を、中心部に芯穴２０ｃを有し両端部にほぼ木の葉又は花びら状をなす左右上下が対称となる様に打ち抜き造形せしめると共に、点線にて示した折曲部２０ｂ、２０ｂ、２０ｂ、２０ｂを折曲して花びら形の断熱板２１、２１を挟持した２枚一組の組立要素２０、２０を得、それをプラス字状にスポット溶接又は爪付固定板１４を用いて組み合わせた垂下防止断熱部２２で、任意に形状を変形して断熱効果あるいは美観あるいは荘厳性計り得る等、あるいは２点鎖線にて示した花びら形の断熱板２１、２１、２１、２１角度を上下左右斜め方向へと任意に変更できるもので、湿気が高い時又は各種渦巻状線香の特性あるいは美観等に対応し得る変形例の垂下防止断熱部２２を示したものある。
【００１４】
【発明の実施例６】
本発明実施例４〜５に用いた垂下防止断熱部１５あるいは垂下防止断熱部２２は２枚一組の一段形式としたが、図１０に示した様に大小の二段式等の垂下防止断熱部を二段式としたもので、その有用性をより増大せしめ得ることを示したものである。
【００１５】
【発明の実施例７】
あるいは発明の実施例２に説明した様に、垂下防止断熱部２の中心部上面部と渦巻状線香５の下面部とで形成される空間部９を利用すれば、図１１に示した様に、熱吸収支え部１２の形状を各種変形してより利用分野の広がりを計り得ることを示したものである。
【発明の効果】
以上の様に、本発明の渦巻状線香立は、渦巻状線香の自重により垂れ下がる形状を出来るだけ考慮すると共に、宗教用具としての荘厳性を守りながら、火災の原因ともなる“火”を、昼夜を問わずに４９日間もの長時間に渡って使用する用具として、特に安全性という観点を重要視したもので、従来から利用されている形式あるいは新しい形式の渦巻状線香に対しても対応出来るもので、中心部の直径１０〜１０数ｍｍ部を残して燃焼を停止せしめうる渦巻状線香立に係るもので各種任意に変形できる有用な発明である。
【図面の簡単な説明】
【図１】本発明の実施例１に係る渦巻状線香立に、渦巻状線香を支持している状態での正面図
【図２】本発明実施例１の分解斜視図
【図３】本発明実施例１に渦巻状線香を使用している状態の１部破断正面図
【図４】本発明を利用した渦巻状線香の燃え残り部の平面図
【図５（ａ）】本発明を利用する吊り紐が無い使用前の渦巻状線香の平面図
【図５（ｂ）】本発明を利用した、吊り紐が無く中心部に空間部８を有した渦巻状線香の燃え残り部の平面図
【図６】本発明実施例２に係る渦巻状線香立部の分解斜視図
【図７】本発明実施例３に係る渦巻状線香立部の分解斜視図
【図８（ａ）】本発明実施例４の斜視図
【図８（ｂ）】本発明実施例４の分解斜視図
【図８（ｃ）】本発明実施例４の組立要素１５ａと花びら形の断熱板１６ａ，１６ａの一部分解斜視図
【図８（ｄ）】花びら形の断熱板１６ａの変形例の斜視図
【図９（ａ）】本発明実施例５の組立要素２０の斜視図
【図９（ｂ）】本発明実施例５の組立要素垂下防止断熱部２２の分解斜視図
【図１０】本発明実施例６の斜視図
【図１１】本発明実施例７の斜視図
【符号の説明】
１    熱吸収支え部
１ａ  平面円板部
１ｂ  段差部
１ｃ  溝部
２    平面十字形の形に立体的に組立てた垂下防止断熱部
２ａ  組立要素
２ｂ  組立要素
３    香炉等の灰受け
３ａ  切欠き
３ｂ  切欠き
４    渦巻状線香立
５    渦巻状線香
６    燃焼部
７    吊り紐
８    中心部の空間部
９    空間部
１０ａ  薄い金属板プレス加工品
１０ｂ  薄い金属板プレス加工品
１１  凹部
１２  熱吸収支え部
１２ｂ段差部
１３  芯棒
１４  爪付固定板
１５  垂下防止断熱部
１５ａ組立要素
１５ｂ挟持片
１５ｃ芯穴
１５ｄ切抜き穴
１５ｅ折曲線部
１６  渦巻状線香立
１６ａ花びら形の断熱板
１７  長ナット
１９  ネジ部
２０  組立要素
２０ｂ折曲部
２０ｃ芯穴
２１  花びら形の断熱板
２２  垂下防止断熱部
【図１】
2005000618.tif 000003
【図２】
2005000618.tif 000004
【図３】
2005000618.tif 000005
【図４】
2005000618.tif 000006
【図５（ａ）】
2005000618.tif 000007
【図５（ｂ）】
2005000618.tif 000008
【図６】
2005000618.tif 000009
【図７】
2005000618.tif 000010
【図８（ａ）】
2005000618.tif 000011
【図８（ｂ）】
2005000618.tif 000012
【図８（ｃ）】
2005000618.tif 000013
【図８（ｄ）】
2005000618.tif 000014
【図９（ａ）】
2005000618.tif 000015
【図９（ｂ）】
2005000618.tif 000016
【図１０】
2005000618.tif 000017
【図１１】
2005000618.tif 000018